(57)【要約】【課題】魚類が遡上及び降下し易く、しかも、軽量で、運搬、設置、及び撤去が容易であり、安価に製作できる組立式魚道を提供する。【解決手段】複数の魚道ユニット１１をそれぞれの連結部１２を介して流れ方向に連結した組立式魚道１０であって、魚道ユニット１１は、少なくとも底部がＶ字溝１４となって、上流側端部及び下流側端部にそれぞれ連結部１２を備えた水路部材１３と、水路部材１３のＶ字溝１４内に固着され、上部に切り欠き１９が設けられた複数の隔壁板２０とを有し、隣り合う隔壁板２０の切り欠き１９を流れ方向に左右異なる位置に形成し、更に、水路部材１３及び隔壁板２０は、鉄、ステンレス及びアルミニウムのいずれか１又は２以上からなる。【選択図】図１
0003117678.tif 000002
【実用新案登録請求の範囲】
【請求項１】
複数の魚道ユニットをそれぞれの連結部を介して流れ方向に連結した組立式魚道であって、
前記魚道ユニットは、少なくとも底部がＶ字溝となって、上流側端部及び下流側端部にそれぞれ前記連結部を備えた水路部材と、
前記水路部材の前記Ｖ字溝内に固着され、上部に切り欠きが設けられた複数の隔壁板とを有し、隣り合う前記隔壁板の切り欠きを流れ方向に左右異なる位置に形成し、
更に、前記水路部材及び前記隔壁板は、鉄、ステンレス及びアルミニウムのいずれか１又は２以上からなることを特徴とする組立式魚道。
【請求項２】
請求項１記載の組立式魚道において、前記隔壁板の幅は、前記Ｖ字溝の幅の１／３〜２／３となって、前記Ｖ字溝の両側に水流路を設け、隣り合う前記隔壁板の間に水溜まり部を形成したことを特徴とする組立式魚道。
【請求項３】
請求項２記載の組立式魚道において、前記水流路を形成する前記Ｖ字溝の左右の傾斜面には滑り止め部材が設けられていることを特徴とする組立式魚道。
【請求項４】
請求項３記載の組立式魚道において、前記滑り止め部材がステンレス製のパンチング板であることを特徴とする組立式魚道。
【請求項５】
請求項１〜４のいずれか１項に記載の組立式魚道において、前記水路部材の左右両側には前記Ｖ字溝の上端にそれぞれ連結される垂直壁部を有し、しかも、該垂直壁部の上端部は内側に折り曲げられていることを特徴とする組立式魚道。
【請求項６】
請求項１〜５のいずれか１項に記載の組立式魚道において、前記連結された魚道ユニットの下部には、水流の方向を変える誘導壁を備えた補助魚道が設置されていることを特徴とする組立式魚道。
【考案の詳細な説明】
【技術分野】
【０００１】
本考案は、魚類を含む水生生物の遡上や降下が可能で、組み立て、解体、及び搬送が簡易な組立式魚道に関する。
【背景技術】
【０００２】
従来、河川にダムや堰を築造する時には、その一部に付随して、コンクリート製の魚道が設けられ、魚類が河川を遡上及び降下できるようになっている（例えば、特許文献１、２参照）。また、河川の流れの際部分に設置され、棒状の支持部材に複数の緩衝手段を取付けた魚道も開発されている（例えば、特許文献３参照）。
【０００３】
【特許文献１】特開２００２−２０６２２９号公報
【特許文献２】特開２００５−９８０５７号公報
【特許文献３】特開２００２−３６３９５６号公報
【考案の開示】
【考案が解決しようとする課題】
【０００４】
しかしながら、特許文献１、２記載の魚道は、コンクリート製であって、重く運搬及び設置が困難であった。また、魚類がスムーズに移動できない場合や、地盤沈下等により魚道としての機能が低下した場合、修復や撤去し難いという問題もあった。また、特許文献３記載の魚道は、河川の流れの際部分に設置しなければならず、設置場所が限定されるという問題があった。更に、特許文献１〜３記載の魚道は、プールとなる水溜まり部が形成されず、魚類が休息することができないと共に、渇水時等で水が少ない場合、水位を保つことができないという問題があった。
【０００５】
本考案はかかる事情に鑑みてなされたもので、魚類が遡上及び降下し易く、しかも、軽量で、運搬、設置、及び撤去が容易であり、安価に製作できる組立式魚道を提供することを目的とする。
【課題を解決するための手段】
【０００６】
前記目的に沿う本考案に係る組立式魚道は、複数の魚道ユニットをそれぞれの連結部を介して流れ方向に連結した組立式魚道であって、
前記魚道ユニットは、少なくとも底部がＶ字溝となって、上流側端部及び下流側端部にそれぞれ前記連結部を備えた水路部材と、
前記水路部材の前記Ｖ字溝内に固着され、上部に切り欠きが設けられた複数の隔壁板とを有し、隣り合う前記隔壁板の切り欠きを流れ方向に左右異なる位置に形成し、
更に、前記水路部材及び前記隔壁板は、鉄、ステンレス及びアルミニウムのいずれか１又は２以上からなる。
【０００７】
本考案に係る組立式魚道において、前記隔壁板の幅は、前記Ｖ字溝の幅の１／３〜２／３となって、前記Ｖ字溝の両側に水流路を設け、隣り合う前記隔壁板の間に水溜まり部を形成してもよい。
本考案に係る組立式魚道において、前記水流路を形成する前記Ｖ字溝の左右の傾斜面には滑り止め部材が設けられているのが好ましい。
本考案に係る組立式魚道において、前記滑り止め部材がステンレス製のパンチング板であってもよい。
【０００８】
本考案に係る組立式魚道において、前記水路部材の左右両側には前記Ｖ字溝の上端にそれぞれ連結される垂直壁部を有し、しかも、該垂直壁部の上端部は内側に折り曲げられているのが好ましい。
本考案に係る組立式魚道において、前記連結された魚道ユニットの下部には、水流の方向を変える誘導壁を備えた補助魚道が設置されてもよい。
【考案の効果】
【０００９】
請求項１〜６に記載の組立式魚道においては、水路部材及び隔壁板が鉄、ステンレス及びアルミニウムのいずれか１又は２以上からなるので、従来のコンクリート製の魚道に比べて軽量となり、運搬、設置、及び撤去が容易にでき、安価に製造できる。また、水路部材の底部がＶ字溝となっているので、渇水時等で水が少ない場合でも、水位を保つことができる。更に、隣り合う隔壁板の切り欠きが、流れ方向に左右異なる位置に形成されているので、流れが交互に妨げられて蛇行流となって、流速を抑えることができ、魚類の遡上が容易になる。
【００１０】
特に、請求項２記載の組立式魚道においては、隔壁板の幅が、Ｖ字溝の幅の１／３〜２／３となって、Ｖ字溝の両側に水流路を設けたので、エビ、カニ類、及び底層を移動する魚類が水流路を通って遡上及び降下が可能となる。また、隣り合う隔壁板の間に水溜まり部を形成したので、魚類が休息することができる。
請求項３記載の組立式魚道においては、水流路を形成するＶ字溝の左右の傾斜面には滑り止め部材が設けられているので、エビ、カニ類、及び底層を移動する魚類が移動し易くなる。
請求項４記載の組立式魚道においては、滑り止め部材がステンレス製のパンチング板であるので、滑り止め部材をＶ字溝の傾斜面に装着し易い。
【００１１】
請求項５記載の組立式魚道においては、水路部材の左右両側にはＶ字溝の上端にそれぞれ連結される垂直壁部を有し、垂直壁部の上端部は内側に折り曲げられているので、水路部材の強度を保つことができると共に、魚類が飛び出すのを防ぐことができる。
請求項６記載の組立式魚道においては、連結された魚道ユニットの下部に、水流の方向を変える誘導壁を備えた補助魚道が設置されているので、流れ方向を調整でき、魚類の遡上効果を高めることができる。
【考案を実施するための最良の形態】
【００１２】
続いて、添付した図面を参照しつつ、本考案を具体化した実施の形態につき説明し、本考案の理解に供する。
ここで、図１（Ａ）は本考案の一実施の形態に係る組立式魚道の説明図、（Ｂ）は同組立式魚道の連結部の説明図、図２は同組立式魚道の正断面図、図３（Ａ）、（Ｂ）はそれぞれ同組立式魚道に設置された補助魚道の断面図、平面図である。
【００１３】
図１〜図３を参照して、本考案の一実施の形態に係る組立式魚道１０について説明する。
組立式魚道１０は、ダムや堰等の河川横断構造物の一部に付随して設けられ、魚類の遡上及び降下を可能とするシュート式の魚道であって、図１（Ａ）に示すように、複数、例えば、３つの魚道ユニット１１を、それぞれの連結部１２を介して流れ方向に連結したものである。
【００１４】
図１（Ａ）及び図２に示すように、組立式魚道１０は、ステンレスの板材を所定形状に打ち抜いた後、所定箇所を折り曲げて形成される水路部材１３を有している。水路部材１３の底部は、各面が、水平面に対して、例えば、３０〜６０度（本実施の形態では４５度）の角度を有して傾斜するＶ字溝１４となって、水路部材１３の左右両側にはＶ字溝１４の上端にそれぞれ連結される垂直壁部１５を有し、しかも、垂直壁部１５の上端部はそれぞれ内側に折り曲げられて、返し部１６が形成されている。これによって、水路部材１３の強度を保つことができると共に、魚類が飛び出すのを防ぐことができる。また、図１（Ｂ）に示すように、水路部材１３の上流側端部及び下流側端部には、それぞれボルト１７が挿入される貫通孔１８が設けられたフランジからなる連結部１２が設けられている。
【００１５】
ここで、水路部材１３は、厚みが２〜４ｍｍ、例えば、３ｍｍであって、平面視して、幅が５０〜２００ｃｍ、例えば、１００ｃｍ、長さが５０〜２５０ｃｍ、例えば、１８０ｃｍ、高さが３０〜１５０、例えば、７０ｃｍ（本実施の形態では、Ｖ字溝１４の高さが５０ｃｍ、垂直壁部１５の高さが２０ｃｍ）となっている。更に、本実施の形態において、使用する板材は、十分な強度を保持していれば、厚みを薄くして、軽量化するのが好ましい。
【００１６】
水路部材１３のＶ字溝１４内には、ステンレスの板材で形成され、上部に切り欠き１９が設けられた複数、例えば、６つの隔壁板２０が固着され、隣り合う隔壁板２０の切り欠き１９は、流れ方向に左右異なる位置に配置されている。切り欠き１９が流れ方向に交互に配置されているので、水路水が蛇行流となって流速が抑えられ、魚類の遡上が容易になる。
【００１７】
隔壁板２０の幅は、Ｖ字溝１４の幅の１／３〜２／３、例えば、１／２となって、Ｖ字溝１４の両側には、水路部材１３と隔壁板２０との隙間によって水流路２１が設けられている。エビ、カニ類や底層を移動する魚類は、水流路２１を通って遡上及び降下し易くなる。そして、隣り合う隔壁板２０の間には、いわゆるプールとなる水溜まり部２２が形成される。水路部材１３の底部がＶ字溝１４となっているので、渇水時等で水が少ない場合でも、水溜まり部２２の水位をある程度保つことができる。また、水溜まり部２２によって、魚類が休息する場所を形成することができる。
【００１８】
更に、水流路２１を形成するＶ字溝１４の左右の傾斜面には滑り止め部材の一例であるステンレス製のパンチング板２３が設けられている。パンチング板２３には、例えば、直径１〜２ｍｍの貫通孔２４が設けられて粗面構造となって、特にエビ、カニ類や底層を移動する魚類が通り易くなる。なお、滑り止め部材としては、パンチング板２３の他に、耐久性のある粗面構造物、例えば、ステンレスの表面に凹凸を形成した板材等を用いてもよい。
ここで、魚道ユニット１１の重量は、容易に運搬可能な範囲、例えば、２５〜３５ｋｇに形成されている。
【００１９】
図１（Ａ）、（Ｂ）に示すように、組立式魚道１０は、複数、例えば、３つの魚道ユニット１１を、隣り合う連結部１２のそれぞれの貫通孔１８を合わせ、貫通孔１８にボルト１７を挿入してナット２５で固定し、所定長さ（５４０ｃｍ）に形成される。組立式魚道１０は、傾斜角度が５〜３０度、例えば、２０度となるように設置される。ここで、組立式魚道１０の中央部の下部には、設置場所の落差に応じて１又は２以上の鋼製の架台２６を設置してもよく、架台の代わりに、ジャッキを設置してもよい。また、連結する魚道ユニット１１の連結部１２の間に、一側から他側にかけて幅が徐々に広くなるスペーサ、又は水溜まり部を備えたプールを取付けて、組立式魚道を湾曲させることもできる。組立式魚道１０の寸法は、設置現場の高低差、堰堤構造に応じて、適宜調整できる。
【００２０】
更に、図３（Ａ）、（Ｂ）に示すように、組立式魚道１０は、連結された魚道ユニット１１の下部に、水流の方向を変える誘導壁２７を備えた補助魚道２８が設置されている。補助魚道２８は、平面視して矩形の底板３０を有し、底板３０の下部４隅には、補助魚道２８を川底に固定する支柱２９が設けられている。底板３０には、上方に突出して配置される回転軸３１が設けられ、回転軸３１には誘導壁２７が回転（回動）可能に取付けられている。更に、底板３０には、上部に突出して配置され、誘導壁２７を所定の位置（例えば、水路水の流軸に対して４５度）で固定するストッパ３２又は図示しないストッパが設けられ、魚道ユニット１１を降下する水流の方向を変えて、流軸方向を調整し、魚類の遡上効果を高めることができる。
【００２１】
次に、組立式魚道１０の設置方法及び使用方法について説明する。
まず、３つの魚道ユニット１１を設置場所（ダムや堰等の河川横断構造物の近傍）まで運搬する。魚道ユニット１１は、２５〜３５ｋｇ程度に形成されているので、容易に運搬が可能である。魚道ユニット１１の連結部２８をボルト１７及びナット２５で連結し、連結された魚道ユニット１１の中央部の下部に架台２６を配置して、傾斜角度が２０度となるように設置する。連結された魚道ユニット１１の下端部には、誘導壁２７が魚道ユニット１１を降下する水路水の流軸に対して４５度となるように配置された補助魚道２８を設置して、水路水の流軸方向を調整し、魚類の遡上効果を高める。
【００２２】
魚類が遡上する際には、補助魚道２８の下流側から組立式魚道１０に侵入し、魚道ユニット１１の切り欠き１９及び水流路２１を越流する水路水を遡上する。底部がＶ字溝となっているので、特に、エビ、カニ類や底層を移動する魚類は水流路２１を通って遡上できる。しかも、Ｖ字溝の左右の傾斜面には滑り止め部材であるステンレス製のパンチング板２３が設けられているので、エビ、カニ類や底層を移動する魚類が移動し易くなっている。更に、隣り合う隔壁板２０の間に形成された水溜まり部２２によって、魚類が休息することができると共に、渇水時等で水が少ない場合でも、水溜まり部２２の水位をある程度保つことができる。魚類の降下も遡上と同様に行うことができる。
【００２３】
本考案は、前記した実施の形態に限定されるものではなく、本考案の要旨を変更しない範囲での変更は可能であり、例えば、前記した実施の形態や変形例の一部又は全部を組み合わせて本考案の組立式魚道を構成する場合も本考案の権利範囲に含まれる。
例えば、前記実施の形態の組立式魚道において、水路部材及び隔壁板を、ステンレス製の板材で形成したが、鉄、ステンレス、及びアルミニウムのいずれか１又は２以上で形成してもよい。
【００２４】
また、前記実施の形態の組立式魚道には、連結された魚道ユニットの下部に架台が設けられると共に、連結された魚道ユニットの下端部に水路水の流軸方向を調整する誘導壁を備えた補助魚道を設けたが、必ずしも必要ではない。なお、前記実施の形態の組立式魚道において、具体的な寸法を記載したが、通過させる魚類等に合わせて変えてもよい。
【図面の簡単な説明】
【００２５】
【図１】（Ａ）は本考案の一実施の形態に係る組立式魚道の説明図、（Ｂ）は同組立式魚道の連結部の説明図である。
【図２】同組立式魚道の正断面図である。
【図３】（Ａ）、（Ｂ）はそれぞれ同組立式魚道に設置された補助魚道の断面図、平面図である。
【符号の説明】
【００２６】
１０：組立式魚道、１１：魚道ユニット、１２：連結部、１３：水路部材、１４：Ｖ字溝、１５：垂直壁部、１６：返し部、１７：ボルト、１８：貫通孔、１９：切り欠き、２０：隔壁板、２１：水流路、２２：水溜まり部、２３：パンチング板、２４：貫通孔、２５：ナット、２６：架台、２７：誘導壁、２８：補助魚道、２９：支柱、３０：底板、３１：回転軸、３２：ストッパ
【図１】
0003117678.tif 000003
【図２】
0003117678.tif 000004
【図３】
0003117678.tif 000005